(57)【要約】【課題】化粧綿を収納した包装用袋が、開口後も、内部の化粧綿を変形させずに最後まで矩形の状態で使用でき、内部の化粧綿に塵埃も付着しない，化粧綿を入れる包装用袋を開発・提供する。【解決手段】合成樹脂製フィルムを設け、該フィルムの両端部を接合し、筒状体に形成する包装用袋であって、筒状体の包装体（１）内に、商品（Ｘ）を収納し、該包装体（１）の両端部（Ａ）（Ａ′）をそれぞれ融着シール（２）で閉塞する包装用袋において、前記フィルムの包装体（１）を設けるにあたり、該フィルムの両端部に、合成樹脂製チャック（３）の凹条（３ａ）、凸条（３ｂ）をそれぞれ設け、該チャック（３）を、該包装体の融着シール（２）線と直交する，包装体（１）の稜辺（Ｂ）の近傍位置に設けたことを特徴とする化粧綿を入れる包装用袋である。【選択図】      図３
2010126211.tif 000002
【特許請求の範囲】
【請求項１】
合成樹脂製フィルムを用い、該フィルムの両端部を接合し、筒状体に形成する包装用袋であって、筒状体の包装体（１）内に、商品（Ｘ）を収納し、該包装体（１）の両端部（Ａ）（Ａ′）をそれぞれ融着シール（２）で閉塞する包装用袋において、前記フィルムの包装体（１）を設けるにあたり、該フィルムの両端部に、合成樹脂製チャック（３）の凹条（３ａ）、凸条（３ｂ）をそれぞれ設け、該チャック（３）を、該包装体（１）の融着シール（２）線と直交する，包装体（１）の稜辺（Ｂ）の近傍位置に設けたことを特徴とする化粧綿を入れる包装用袋。
【発明の詳細な説明】
【技術分野】
【０００１】
この発明は、化粧綿を入れる包装用袋に関するものである。
【背景技術】
【０００２】
従来、化粧綿は、化粧綿（コットン）は、所定の厚みを有した矩形状をしており、化粧の下地作りに使用したり、化粧を落としたりする際に拭き取りに使用するものである。
【０００３】
具体的には、化粧綿に化粧水や乳液等を含ませて顔に塗ったり、クレンジングローションを含ませて顔面の化粧を拭き取ったり、また、化粧綿に除去液を含ませて、爪に塗ったマニキアを取り除いたりする際に使用するものである。
【０００４】
これら化粧綿は、一定の量を積み重ねて直方体のブロック体とし、かつ、このブロック体を複数並列させて合成樹脂製の包装用袋にブロック状態に収納して販売している。
【０００５】
そして、従来例としては、図４に示すように、チューブ（インフレーション）製袋ポリ袋と呼ばれる，チューブ状（筒状）に製膜したポリ袋であり、印刷は表裏別版で印刷する必要があり、端部に印刷出来ないため、印刷可能範囲が限られ、連続柄は印刷できない。  また、チューブ状になっているため、フィルムの裏側からの印刷は出来ず、所謂，表面の印刷に限定される欠点があった。
【０００６】
次に従来例としては、図５に示すように、背貼り製袋ポリ袋（合掌貼り）と呼ばれる，平版フィルムの両端を合わせて熱接着し、チューブ状に製袋するものであり、チューブ製袋前（平版フィルム状）に印刷できるため、印刷フィルムの表裏どちらからも印刷出来、印刷版を減らせるメリットがあるが、しかし、背貼り部分は余分な端として残るため、見た目が悪く、デザイン表示もこの部分を外す必要が生ずるという欠点があった。
【０００７】
さらに、従来例として、図６に示すように、チャック付袋（平袋）が存在するが、厚みのある物を包装するためのマチがなく、長方体状にした場合、角部が飛び出した形となるため、体裁が悪く、また、印刷は表裏２版を別に設ける必要となるという欠点があった。  
【０００８】
また、従来例として、図７に示すように、底マチ入りチャック付き袋が存在するが、平版状の袋の底部を折り込みマチを作ることで、一方の角部の飛び出しが起こらないが、チャック側とマチの折り込みが出来ないため、チャック側の角部が飛び出るし、しかも印刷は前記同様表裏別に印刷しなければならないという欠点があった。
【０００９】
最後に、従来例として、図８に示すように、スリットシール袋と呼ばれる，平版状フィルムの端を重ね、チューブ状に製袋し、接着部耳部分を溶断することで余分な耳がなく、見た目チューブ製袋のように継ぎがない袋となり、印刷は前記の背貼り製袋ポリ袋と同様、表裏側と同じ版で印刷可能である。しかし、熱接着が溶断により線状になっているため、接着強度が弱いという欠点があった。
【発明の開示】
【発明が解決しようとする課題】
【００１０】
そこでこの発明は、化粧綿を収納した包装用袋が、開口後も、内部の化粧綿を変形させずに最後まで矩形の状態で使用でき、内部の化粧綿に塵埃も付着しない，化粧綿を入れる包装用袋を開発・提供しようとするものである。
【課題を解決するための手段】
【００１１】
そして、この発明は、化粧綿を収納する合成樹脂製の包装用袋に、チャック（プラスチックチャック）を設けるに当たり、該包装用袋の稜辺近傍に設け、内部に化粧綿を入れる包装用袋である。
【発明の効果】
【００１２】
この発明によると、合成樹脂製フィルムを用いた筒体の包装体（１）であるが、内部に商品（Ｘ）である，矩形状の化粧綿を多数枚重ね、さらに、この束を複数束入れるため、直方体の箱型となり、該包装体（１）にチャック（３）を設けたため、該チャック（３）を開口し、内部の商品（化粧綿）を取り出しても、すぐにチャック（３）を閉塞することにより、商品に外部の塵埃等が付着せず極めて衛生的である。
【００１３】
また、包装体（１）のチャック（３）は、包装体の綾辺（Ｂ）の近傍に添って設けることにより、内部に商品（Ｘ）があっても、チャック（３）の凹条（３ａ）、凸条（３ｂ）を重ねて親指と人指し指で挟んで摺動することができ、チャックの開閉がスムーズに行えると共に、チャックの開閉に際し、内部の商品（化粧綿）を押圧することがなく、変形させることがない等極めて有益なる効果を奏するものである。
【００１４】
さらに、包装体（１）の，その綾辺（Ｂ）に添って、チャック（３）を設けたため、包装体（１）の表面や裏面には商品の広告宣伝の文字や図形等を印刷でき、広告効果も極めて大きい等の効果を奏するものである。
【００１５】
また、チャック（３）は、包装体の綾辺（Ｂ）の近傍に添って設けるため、包装体の角部が飛び出ることがなく、また、近年、合成樹脂の包装体（１）の裏面、即ち，内面側にカラー等の印刷をすることにより、包装体の素材を通して外面に表示されるため、ピカピカと光沢のある安っぽい印刷でなく、艶消し状の柔らかいしっとりした色調の印刷が可能であるとの効果を奏する。
【発明を実施するための最良の形態】
【００１６】
本発明を実施するための最良の形態は、化粧綿を収納する合成樹脂製の包装用袋の稜辺近傍に、チャック（プラスチックチャック）を設け、該包装用袋の内部に化粧綿を入れる包装用袋である。
【実施例】
【００１７】
次に、この発明の一実施例を図面に従って詳述すると、合成樹脂製フィルムを用い、該フィルムの両端部を接合し、筒状体に形成する包装用袋であって、筒状体の包装体（１）内に、商品（Ｘ）を収納し、該包装体（１）の両端部（Ａ）（Ａ′）をそれぞれ融着シール（２）で閉塞する包装用袋において、前記フィルムの包装体（１）を設けるにあたり、該フィルムの両端部に、合成樹脂製チャック（３）の凹条（３ａ）、凸条（３ｂ）をそれぞれ設け、該チャック（３）を、該包装体（１）の融着シール（２）線と直交する，包装体（１）の稜辺（Ｂ）の近傍位置に設けたことを特徴とする化粧綿を入れる包装用袋から構成される。
【００１８】
尚、合成樹脂製チャック（３）は、二本の帯状の本体の相対向する面に、それぞれ凸条（３ａ）と凹条（３ｂ）とを設けたものであり、これら凸条（３ａ）と凹条（３ｂ）が互いに噛み合って、嵌脱可能に形成されたものである。
【００１９】
また、前記合成樹脂製チャック（３）は、包装体（１）の表面及び、裏面には位置しないため、該包装体（１）の表面・裏面のそれぞれ全面に、商品説明、商標名等の広告表示ができる。
【００２０】
さらに、チャック（３）は、包装体（１）の稜辺（Ｂ）の近傍位置に設けるものであるが、望ましくは、表面、裏面側ではなく、側面側がよい。
【産業上の利用可能性】
【００２１】
この発明の、化粧綿を入れる包装用袋の技術を確立し、実施・販売することにより、産業上の利用可能性を有するものである。
【図面の簡単な説明】
【００２２】
【図１】この発明の一実施例を示す斜視図である。
【図２】この発明の一実施例であり、図１のＩ−Ｉ矢印方向の断面図である。
【図３】この発明の一実施例であり、一部拡大断面図である。
【図４】従来例を示す斜視図である。
【図５】従来例を示す斜視図示す。
【図６】従来例を示す平面図である。
【図７】従来例を示す平面図である。
【図８】従来例を示す斜視図である。
【符号の説明】
【００２３】
１  筒状体の包装体
２  融着シール
３  チャック
３ａ  合成樹脂製チャックの凹条
３ｂ  合成樹脂製チャックの凸条
Ａ  包装体の一端部
Ａ′包装体の他端部
Ｂ  稜辺
Ｘ  商品
【図１】
2010126211.tif 000003
【図２】
2010126211.tif 000004
【図３】
2010126211.tif 000005
【図４】
2010126211.tif 000006
【図５】
2010126211.tif 000007
【図６】
2010126211.tif 000008
【図７】
2010126211.tif 000009
【図８】
2010126211.tif 000010